(57)【要約】【課題】通常のホログラムとは異なる見え方の、通常は視認できない潜像パターンを設けることで真偽判定を行うことができ、偽造防止効果を向上させた偽造防止媒体を提供する。【解決手段】入射光に対して第１の方向に指向性散乱光を射出するエンボスで形成された核ドットα１１と、核ドットαに隣接し、等面積を有し、第２の方向に指向性散乱光を射出するエンボスで形成された周縁ドットα１２からなるドットパターンＡ１と、第２の方向に指向性散乱光を射出するエンボスで形成された核ドットβ２２と、核ドットβに隣接し、等面積を有し、第１の方向に指向性散乱光を射出するエンボスで形成された周縁ドットβ２１からなるドットパターンＢ２が、等ピッチで配列された配列パターン３が設けられ、配列パターンはドットパターンＡおよびドットパターンＢが文字または記号を形成するように配列されている。【選択図】図６
2019045791.tif 000002
【特許請求の範囲】
【請求項１】
ホログラム等の回折格子パターンの一部に、入射光に対して、
第１の方向に指向性散乱光を射出するエンボスで形成された核ドットαと、前記核ドットαに隣接し、前記核ドットαと等面積を有し、第２の方向に指向性散乱光を射出するエンボスで形成された周縁ドットαからなるドットパターンＡと、
前記第２の方向に指向性散乱光を射出するエンボスで形成された核ドットβと、前記核ドットβに隣接し、前記核ドットβと等面積を有する前記第１の方向に指向性散乱光を射出するエンボスで形成された周縁ドットβからなるドットパターンＢが、
等ピッチで配列された配列パターンが設けられ、
前記配列パターンは、ドットパターンＡおよびドットパターンＢが文字または記号を形成するように配列されていることを特徴とする偽造防止媒体。
【請求項２】
前記ホログラム等の回折格子パターンの一部に、入射光に対して、
指向性散乱光を射出するエンボスで形成された文字または記号を表記してなり、前記文字または記号の一部または全部が、前記第１の方向に指向性散乱光を射出するエンボスまたは前記第２の方向に指向性散乱光を射出するエンボスで表記されていることを特徴とする請求項１に記載の偽造防止媒体。
【請求項３】
ホログラム等の回折格子パターンが形成された偽造防止媒体に、前記ドットパターンＡ、前記ドットパターンＢおよび前記指向性散乱光を射出するエンボスで形成された文字または記号を、前記第１の方向に指向性散乱光を射出するエンボスが転写層に形成された熱転写リボンおよび前記第２の方向に指向性散乱光を射出するエンボスが転写層に形成された熱転写リボンの転写層を転写することにより設けることを特徴とする偽造防止媒体の作製方法。
【請求項４】
請求項１または請求項２に記載の偽造防止媒体に、前記配列パターンにおいて前記ドットパターンＡと前記ドットパターンＢが配列されているのと同じピッチで凸レンズが配列されたレンズアレイを重ね、前記ドットパターンＡおよび前記ドットパターンＢの前記核ドットαまたは前記核ドットβのみを表示することを特徴とするドットパターンの表示方法。
【発明の詳細な説明】
【技術分野】
【０００１】
本発明は、商品が真正品であるであることを証明する真贋判定ラベル等の偽造防止表示体に関するもので、ホログラム等の回折格子パターン上に可変情報および可変潜像情報を印字することで、より偽造防止効果を高めた偽造防止表示体およびその作製方法に関する。
【背景技術】
【０００２】
従来、商品などの偽造を防止する手段としては、例えば商品そのものを真似することが困難なものする、あるいは、真似することが困難なものを本物であることの証拠として商品に取り付けることにより本物と偽物を区別できるようにする、といった手段があった。後者の代表的なものとしては、レリーフ型ホログラム、回折格子、リップマン型ホログラムなどの光学デバイスを利用した偽造防止手段があり、近年広く使用されている。
【０００３】
たとえばレリーフ型ホログラムは、干渉縞を微細な凹凸形状により形成したもので、干渉縞により生じる光の回折と干渉により、ホログラムを見る角度に応じて固有のカラーシフト（反射光の色変化）を生じるものである。このような光学デバイスを偽造防止手段として用い、その部分におけるカラーシフトの有無を確認することにより真正の商品であるか否かを容易に判定でき、真贋の確認が容易に行えるようになる。
【０００４】
ところが、最近では上述の様な光学デバイスは、ホログラム原理やホログラムを構成する層などの構造が単純であるため偽造されやすくなりつつあり、偽造防止効果が薄れてきている。その対策として、商品等に貼るホログラム等の回折格子パターンが設けられた各種ラベルに、ラベルの真偽の確認やラベルを貼り付け商品の管理等のために通し番号等の個別情報を付与することが行われ、これらの印字のための方法としては、熱転写リボンを用いてラベル上にインキ層を転写したり、転写箔を使用してその箔を転写したり、あるいはラベル上に感熱発色層を設けて発色印字させる方法があった。
【０００５】
また、ホログラム等の回折格子パターンをより効果的に見せるために設けたアルミ蒸着層を、ＹＡＧレーザー等のレーザー印字装置にてアルミ蒸着層を飛ばして印字する方法がある（特許文献１）。しかしながら上記の各方法による印字は、いずれも単色での記録が形成されるのみで、他の方法との識別や偽造や改竄がされた場合の見分けが困難で、偽造防止効果が限定的である。
【０００６】
また熱転写箔としてホログラム等の回折格子を転写箔として、個別情報を印字する方法も提案されているが（特許文献２）、一般的なホログラムの転写箔の入手が比較的容易になってきているため、やはり偽造防止効果は限定的なものとなっていた。
【０００７】
また特許文献３には、白色光を照射したときに指向性散乱光に対応した色を表示する第１領域と、印刷層に起因する色を表示する第２領域を設け、白色光の入射角度により、第１の領域と第２の領域が同じ色を表示したり異なる色を表示したりするようにして、潜像を可視化したり不可視化したりすることにより偽造防止効果が得られる表示体が開示されている。
【０００８】
しかしながら特許文献３に開示されている表示体では、潜像は入射光の角度を変えたり見る角度を変えたりすることで容易に見えることから、そのような偽造防止手段が設けられていること自体は容易に分かり、容易に分かることで却って偽造を誘発する場合もあり、偽造防止効果には限界があった。
【先行技術文献】
【特許文献】
【０００９】
【特許文献１】特開平１０−３３３５７４号公報
【特許文献２】特開２０００−２６３９１０号公報
【特許文献３】特許第５７９３８５２号公報
【発明の概要】
【発明が解決しようとする課題】
【００１０】
本発明は以上のような従来技術の課題を解決するためなされたもので、熱転写箔により指向性散乱光を利用した回折格子を使用して番号印字を行うことで、通常のホログラムとは異なる見え方が得られ、さらに指向性散乱光を利用した回折格子を２種類組み合わせた微小ドットにより通常の目視では視認できない潜像パターンを設け、これを特殊なレンズアレイにより視認できるようにして番号印字との照合を行うことで真偽判定を行うことができ、潜像が設けられていること自体が容易に分からないようにすることで偽造防止効果を向上させた偽造防止媒体を提供することを課題とする。
【課題を解決するための手段】
【００１１】
上記課題を解決するため、本発明の請求項１に係る発明は、
ホログラム等の回折格子パターンの一部に、入射光に対して、
第１の方向に指向性散乱光を射出するエンボスで形成された核ドットαと、前記核ドットαに隣接し、前記核ドットαと等面積を有し、第２の方向に指向性散乱光を射出するエンボスで形成された周縁ドットαからなるドットパターンＡと、
前記第２の方向に指向性散乱光を射出するエンボスで形成された核ドットβと、前記核ドットβに隣接し、前記核ドットβと等面積を有する前記第１の方向に指向性散乱光を射出するエンボスで形成された周縁ドットβからなるドットパターンＢが、
等ピッチで配列された配列パターンが設けられ、
前記配列パターンは、ドットパターンＡおよびドットパターンＢが文字または記号を形成するように配列されていることを特徴とする偽造防止媒体である。
【００１２】
また、請求項２に係る発明は、
前記ホログラム等の回折格子パターンの一部に、入射光に対して、
指向性散乱光を射出するエンボスで形成された文字または記号を表記してなり、前記文字または記号の一部または全部が、前記第１の方向に指向性散乱光を射出するエンボスまたは前記第２の方向に指向性散乱光を射出するエンボスで表記されていることを特徴とする請求項１に記載の偽造防止媒体である。
【００１３】
また、請求項３に係る発明は、
ホログラム等の回折格子パターンが形成された偽造防止媒体に、前記ドットパターンＡ、前記ドットパターンＢおよび前記指向性散乱光を射出するエンボスで形成された文字または記号を、前記第１の方向に指向性散乱光を射出するエンボスが転写層に形成された熱転写リボンおよび前記第２の方向に指向性散乱光を射出するエンボスが転写層に形成された熱転写リボンの転写層を転写することにより設けることを特徴とする偽造防止媒体の作製方法である。
【００１４】
また、請求項４に係る発明は、
請求項１または請求項２に記載の偽造防止媒体に、前記配列パターンにおいて前記ドットパターンＡと前記ドットパターンＢが配列されているのと同じピッチで凸レンズが配列されたレンズアレイを重ね、前記ドットパターンＡおよび前記ドットパターンＢの前記核ドットαまたは前記核ドットβのみを表示することを特徴とするドットパターンの表示方法である。
【発明の効果】
【００１５】
請求項１に記載の発明によれば、ホログラム等の回折格子パターンの一部に、互いに異なる方向に指向性散乱光を射出する等面積のドットを組み合わせた２種類のドットパターンを適宜配列することで、通常の目視では２種類のドットパターンの区別が出来ず、ドットパターンに形成された文字や記号を潜像の状態となるように記録することができ、文字や記号を秘密の情報として記録することができる偽造防止媒体を提供できる。
【００１６】
また請求項２に記載の発明によれば、ホログラム等の回折格子パターンの一部に指向性散乱光を射出するエンボスパターンにて文字や記号を表記することで、一般の回折格子パターンでは再現できない、偽造防止媒体をある角度で見ると前記文字や記号が明るいパターンとして見え、９０°回転させると暗いパターンとして見える偽造防止媒体を提供できる。
【００１７】
また請求項３に記載の発明によれば、２種類のドットパターンを、第１の方向に指向性散乱光を射出するエンボスが転写層に形成された熱転写リボンと第２の方向に指向性散乱光を射出するエンボスが転写層に形成された熱転写リボンからそれぞれ熱転写することで形成でき、個々の媒体ごとに異なった文字や記号を潜像として記録したドットパターンを形成することができる。
【００１８】
また請求項４に記載の発明によれば、ドットパターン中に潜像として記録された文字や記号を、レンズアレイにより核ドット部分のみを拡大表示することにより目視で容易に確認できる態様に表示することが可能となる。
【図面の簡単な説明】
【００１９】
【図１】２種類のドットパターンの模式図である。
【図２】２種類のドットパターンの光散乱能の説明図である。
【図３】２種類のドットパターンの光散乱能の方向による違いの説明図である。
【図４】２種類のドットパターンで潜像を形成した配列の模式図である。
【図５】ホログラム等の回折格子パターンの一例の模式図である。
【図６】ホログラム等の回折格子パターンにドットパターン配列と文字を重ねた模式図である。
【図７】レンズアレイの模式図である。
【図８】レンズアレイの断面図である。
【図９】レンズアレイにより潜像を目視できるように表示した状態の模式図である。
【図１０】レンズアレイにより潜像を異なる角度から表示した状態の模式図である。
【発明を実施するための形態】
【００２０】
以下、本発明の実施の形態を詳細に説明する。
【００２１】
図１は、本発明の偽造防止媒体に設けられる２種類のドットパターンの模式図であり、第１の方向に指向性散乱光を射出するエンボスで形成された核ドットα１１と、核ドットα１１に隣接し、核ドットα１１と等面積を有し、第２の方向に指向性散乱光を射出するエンボスで形成された周縁ドットα１２からなるドットパターンＡ１と、前記第２の方向に指向性散乱光を射出するエンボスで形成された核ドットβ２２と、核ドットβ２２に隣接し、核ドットβ２２と等面積を有する前記第１の方向に指向性散乱光を射出するエンボスで形成された周縁ドットβ２１からなるドットパターンＢ２をそれぞれ示している。
【００２２】
図１に示したドットパターンＡ１およびドットパターンＢ２は、２種類の指向性散乱光
を射出するエンボスのドットを組み合わせた構成であり、指向性散乱光を射出するエンボスとは、エンボスのそれぞれが直線状であり、かつ面内で方向がそろった複数の凹部または凸部を含んだ構成となっており、凹部および凸部の間隔および深さまたは高さを変えることで、光の方向により明るく見えたり、暗く見えたりするものである。
【００２３】
指向性散乱光についてさらに説明する。図１に例示したドットパターンＡ１において、第１の方向に指向性散乱光を射出するエンボスで構成された核ドットα１１は、Ｙ方向に並んで複数の凹部または凸部が形成されており、第２の方向に指向性散乱光を射出するエンボスで形成された周縁ドットα１２はＸ方向に並んで複数の凹部または凸部が形成されている。このとき、核ドットα１１はＹ方向に最小の光散乱能を示し、Ｘ方向に最大の光散乱能を示す。一方周縁ドットα１２は、これとは逆にＸ方向に最小の光散乱能を示し、Ｙ方向に最大の光散乱能を示す。
【００２４】
このため、ドットパターンＡ１およびドットパターンＢ２に、図２の矢印Ａに示す方向から斜めに入射光が入射した場合、ドットパターンＡ１において、図２のように第１の方向に指向性散乱光を射出するエンボスで構成された核ドットα１１は光散乱能が最小となって暗く、第２の方向に指向性散乱光を射出するエンボスで構成された周縁ドットα１２は光散乱能が最大となって明るく見え、これを面内で左右いずれかに９０°回転させて見た場合は、光散乱能が逆転するため図３（右に９０°回転している）に示したように明暗が逆転して見える。ドットパターンＢ２においても、ドットパターンＡ１に対して明暗が逆転したパターンとなっているが、同様に見え方が反転する。
【００２５】
このとき、第１の方向に指向性散乱光を射出するエンボスで構成された核ドットα１１と第２の方向に指向性散乱光を射出するエンボスで構成された周縁ドットα１２は、それぞれの面積が同じである。そのため、ドットパターンＡ１およびドットパターンＢ２の面積が充分小さい場合、核ドットと周縁ドットを見分けることが困難なため、通常の目視ではどちらも同じ輝度に見える。ここで面積が充分小さい、とは、一辺の長さが０．５ｍｍ以下、好ましくは０．２ｍｍ以下であることを指す。
【００２６】
このドットパターンＡ１およびドットパターンＢ２を組み合わせて等ピッチで配列し、文字や数字、記号などを形成したドットパターンアレイ３の一例を図４に示す。図４においては、ドットパターンＢ２を「地」として、ドットパターンＡ１により「１２３」の文字パターンが形成されている。このドットパターンアレイ３を図５に示すような図柄のホログラム等の回折格子パターン上に重ねて設けたパターン５を図６に示す。図６において、ホログラム等の回折格子パターン４上にはドットパターンアレイ３と共に指向性散乱光を射出するエンボスで構成された数字５３も設けている。
【００２７】
図６では説明の分かりやすさのためドットパターンアレイ３を大きく表示しているが、ドットパターンＡ１およびドットパターンＢ２が充分小さい場合、ドットパターンＡ１とドットパターンＢ２を見分けることはできず、通常の目視では単なる微小な灰色のドットとなり、ドットパターンアレイ３の部分は潜像となるため、全体の見え方は図５の図柄と数字５３のみが見える態様となる。
【００２８】
図６のドットパターンアレイ３を視認できるようにするには、図７に示したようなハエの目レンズアレイ６を用いる。ハエの目レンズアレイ６は、図８に示した断面図からも分かる様に、透明基板部６２上に凸レンズ６１が等ピッチで２次元に配列されたもので、そのピッチがドットパターンアレイ３のピッチと同じとなっている。このハエの目レンズアレイ６を、図６に示したドットパターンアレイ３及び数字５３を設けたホログラム等の回折格子パターン５に重ねると、図９に示すようにドットパターンＡ１の部分は比較的黒く見え、ドットパターンＢ２の部分は比較的白く見えることで、通常の目視では潜像となっ
ている文字パターン「１２３」を視認できる。
【００２９】
これは、凸レンズ６１の焦点を、第１の方向に指向性散乱光を射出するエンボスで形成された核ドットα１１および第２の方向に指向性散乱光を射出するエンボスで形成された核ドットβ２２に合わせた場合のことで、核ドットα１１および核ドットβ２２の部分のみが凸レンズ６１で拡大され、周縁ドットα１２および周縁ドットβ２１の部分が見え難くなることで、潜像となっていた文字パターン（ここでは「１２３」）が視認できるようになるものである。
【００３０】
このとき、核ドットの形状を拡大しやすいような形状、例えば図１に示す核ドットα１１および核ドットβ２２のような正方形とすると、ハエの目レンズアレイ６を重ねたときに凸レンズ６１の焦点を合わせやすい。なお核ドットの形状は正方形以外でも焦点を合わせやすい形状であれば良く、例えば円形や楕円形、正方形以外の多角形であっても良い。
【００３１】
図９に示した、ドットパターンアレイ３及び数字５３を設けたホログラム等の回折格子パターン５にハエの目レンズアレイ６を重ねたものを９０°回転させると、図２および図３で説明したように光散乱能が逆転するため、図１０に示すようにドットパターンアレイ３のドットパターンＡ１‘およびドットパターンＢ２’及び数字５３‘の様に、明暗が反転したように見えるようになる。
【００３２】
さらに、ハエの目レンズアレイ６を重ねなくとも視認できる数字５３の値の少なくとも一部（ここでは下３桁の数字「１２３」）と、ドットパターンアレイ３に潜像として形成された文字（ここでは「１２３」）とを一致させておき、ハエの目レンズアレイ６を重ねたときにのみ両者を視認比較できるようにすると、偽造防止効果がより高まる。
【００３３】
ドットパターンアレイ３及び数字５３は、ホログラム等の回折格子パターン５を描画する際に同時に設けることもできるが、第１の方向に指向性散乱光を射出するエンボスが転写層に形成された熱転写リボン、および第２の方向に指向性散乱光を射出するエンボスが転写層に形成された熱転写リボンにより、サーマルヘッドを用いて熱転写してホログラム等の回折格子パターン５に重ねて設けることもできる。これにより、ドットパターンアレイ３及び数字５３を、媒体１枚ごとに異なる情報として記録することができ、より偽造防止効果が高い偽造防止媒体することができる。
【００３４】
以上説明したように、本発明の偽造防止媒体によれば、偽造防止のために設けた潜像パターン等の偽造が困難であるばかりでなく、潜像パターンが通常の状態では視認出来ないため、潜像パターンが設けられていること自体が容易には分からず、偽造や改ざんを誘発する契機を小さくすることができ、高い偽造防止効果が得られる。
【符号の説明】
【００３５】
１、１‘・・・ドットパターンＡ
１１・・・核ドットα
１２・・・周縁ドットα
２、２‘・・・ドットパターンＢ
２１・・・周縁ドットβ
２２・・・核ドットβ
３・・・ドットパターンアレイ
４・・・ホログラム等の回折格子パターン
５・・・ドットパターンアレイをホログラム等の回折格子パターンに重ねて設けたパターン
５３、５３‘・・・数字
６・・・ハエの目レンズアレイ
６１・・・凸レンズ
６２・・・透明基板部
【図１】
2019045791.tif 000003
【図２】
2019045791.tif 000004
【図３】
2019045791.tif 000005
【図４】
2019045791.tif 000006
【図５】
2019045791.tif 000007
【図６】
2019045791.tif 000008
【図７】
2019045791.tif 000009
【図８】
2019045791.tif 000010
【図９】
2019045791.tif 000011
【図１０】
2019045791.tif 000012